(57)【特許請求の範囲】
【請求項１】
着信した電話が迷惑電話であると判別した場合に、当該迷惑電話発信側に対して所定の対策音を出力する迷惑電話対策音出力機能を有する電話機において、
前記電話機は、対策選択検出部と、回線接続継続処理部、対策音出力制御部、回線接続切断処理部を含む迷惑電話対策処理部と、対策選択キーと、を備え、
通話中に、前記対策選択検出部は前記対策選択キーの操作を検出すると着信した電話が迷惑電話であると判別し、続いて前記対策音出力制御部が回線へ対策音を出力し、
当該対策音の出力中に自電話機がオンフックされた場合、前記回線接続継続処理部は、オンフック操作から所定の時間経過するまで回線接続を継続し、且つ、当該回線接続の間、前記対策音出力制御部は、対策音出力を継続することを特徴とする迷惑電話対策音出力機能を有する電話機。
【発明の詳細な説明】
【技術分野】
【０００１】
本発明は、公衆電話回線網に接続される電話機、コードレス電話機、ファクシミリ装置機能を有するなるいはファクシミリ機能を有する電話機に関するものであり、無言電話などの迷惑電話を抑制するための対策音の出力機能を有する電話機に関する。特に本発明は、迷惑電話の対策音の出力機能を有する電話機において、迷惑電話発信者に向けて有効に対策音出力を機能させるように、オフフック後も一定時間対策音出力を継続するようにした電話機に関するものである。
【背景技術】
【０００２】
従来からオフィスや家庭において、公衆電話回線網に接続される加入電話のような固定電話機の他、無線通信機能により結ばれる親機と子機からなるコードレス電話機が広く使用されている。近年ではファクシミリ装置が接続可能な電話機、親機にファクシミリ機能を備えた電話機やコードレス電話機も普及している。本明細書においてはコードレス電話装機やファクシミリ機能を有する電話機を含み電話機と総称することとする。
【０００３】
最近では電話機に対して無言電話や悪戯電話などの迷惑電話が着信する被害も増加しており、このような迷惑電話の着信時に相手方電話機（発信側電話機）に対して、不快感を与えるような音（撃退音）を出力することによって再度同じ発信者から迷惑電話がかからないように抑止する手段も提案されている。
【０００４】
例えば、下記の特許文献１（特開平８−１４９２０２号公報）には「コードレス電話機」として迷惑電話対応出力（撃退音を出力する）電話機が開示されている。このコードレス電話機は、手間をかけることなく、悪戯撃退音の効果を上げるように考慮されたものであり、電話機に悪戯撃退音を出力する機能と受信した利用者が迷惑電話であると判断した時に悪戯撃退音を出力するための操作キーとを備え、利用者が悪戯電話と判断すると操作キーを押して相手方に撃退音を出力開始し、話中音が検出される間は撃退音を出力し、相手が電話を切り話中音が検出されなくなると通話を終了して待機状態に戻るように構成している。
【０００５】
図７は上記特許文献１に開示されたコードレス電話機における迷惑電話着信時の動作手順を示すフローチャートである。図７に示されるように、利用者が電話を受信して通信中に悪戯電話と判断するとキー操作によりＳ１の動作が行われ悪戯撃退音が回線に送出される。次にＳ２において、コードレス受話器がオンチャージされているか否かが判断され、オンチャージされているとステップＳ３に移行し、そうでないとＳ４に移行する。Ｓ３では悪戯撃退音を回線と拡声スピーカに出力しＳ５に移行する。Ｓ４では悪戯撃退音を回線とコードレス受話器に出力しＳ５に移行する。Ｓ５では回線から話中音が検出されるか否かを判断し、話中音が検出されるとＳ６に移行し、そうでないとＳ２が繰り返される。Ｓ６では通話を終了して待機状態となる。
【特許文献１】特開平８−１４９２０２号公報（図１、図２、段落［０００６］）
【発明の開示】
【発明が解決しようとする課題】
【０００６】
上記特許文献１に開示されたコードレス電話機においては、対策音を出力している最中にオンフックしても必ず対策音の送出は継続したままとなる。このような構成であると、いたずら電話目的でかけてきた発呼側がオンフックしなければ回線は接続されたままである。この為、いたずら電話目的との相手先との通話を早く終了し、他の相手先に即座に電話をかけたい場合に、電話をかけることができない。
【課題を解決するための手段】
【０００７】
前記課題を解決するために、本願発明は、着信した電話が迷惑電話であると判別した場合に、当該迷惑電話発信側に対して所定の対策音を出力する迷惑電話対策音出力機能を有する電話機において、前記電話機は、対策選択検出部と、回線接続継続処理部、対策音出力制御部、回線接続切断処理部を含む迷惑電話対策処理部と、対策選択キーと、を備え、通話中に、前記対策選択検出部は前記対策選択キーの操作を検出すると着信した電話が迷惑電話であると判別し、続いて前記対策音出力制御部が回線へ対策音を出力し、当該対策音の出力中に自電話機がオンフックされた場合、前記回線接続継続処理部は、オンフック操作から所定の時間経過するまで回線接続を継続し、且つ、当該回線接続の間、前記対策音出力制御部は、対策音出力を継続することを特徴とする。
【０００８】
また、本願の請求項２にかかる発明は、請求項１にかかる電話機において、
前記電話機がオフフックされ、前記対策選択検出部が操作・表示部に設けた迷惑電話対策キーが操作されたことを検出した場合、着信した電話が迷惑電話であると判別することを特徴とする。
【０００９】
また、本願の請求項３にかかる発明は、請求項１または請求項２にかかる電話機において、
前記電話機は、少なくとも発信側の電話番号と着信時刻を着信履歴として記憶する手段を備え、同一の発信側電話番号から連続した着信が所定回数を超えた場合、前記対策選択検出部は、着信した電話が迷惑電話であると判別することを特徴とする。
【発明の効果】
【００１１】
請求項１にかかる発明においては、通話中に、対策選択検出部は対策選択キーの操作を検出すると着信した電話が迷惑電話であると判別し、続いて前記対策音出力制御部が回線へ対策音を出力し、当該対策音の出力中に自電話機がオンフックされた場合、前記回線接続継続処理部は、オンフック操作から所定の時間経過するまで回線接続を継続し、且つ、当該回線接続の間、前記対策音出力制御部は、対策音出力を継続する。
【００１２】
従って、迷惑電話の着信時に利用者が自電話機をオンフック操作しても、オンフック操作から所定の時間経過するまで回線接続を継続し、その間対策音出力をし続けるから、相手側電話機が回線切断するまで所定の設定時間対策音出力が継続されるから、対策音出力による迷惑電話抑止効果を向上させることができるようになる。又、所定の時間の間だけ対策音を出力するためユーザは所定の時間経過後即座に他の相手先に電話をかけることができる。
【発明を実施するための最良の形態】
【００１９】
以下、本発明の具体例を実施例及び図面を用いて詳細に説明する。図１は本発明の実施例にかかる迷惑電話対策音出力機能を有する電話機の構成を示す外観図である。図２は本発明の実施例にかかる迷惑電話対策音出力機能を有する電話機の構成を示すブロック図である。本実施例においてはコードレス電話機を例に説明を進めるが、コードレス電話機の他、通常の固定電話機、あるいはファクシミリ機能を有する電話機、あるいはファクシミリ装置を接続可能な電話機やコードレス電話機などにも適用可能である。
【実施例】
【００２０】
図１は、本発明の実施例にかかるコードレス電話機１０の外観を示す図である。以下の実施例１においては、コードレス電話機１０において、迷惑電話を受信した場合にその抑制のための対策音を発信者側に出力する際の構成について説明する。
【００２１】
コードレス電話機１０は親機２０と子機３０とが無線で接続された構成となっており、子機３０から親機２０を介して通話の受信、発信が行えるようになっている。親機２０は、図２のブロック図に示すように、電話回線制御部２１、音声信号処理部２２、無線部２３、制御部２４、マイク・スピーカ部２５、操作・表示部２６、メモリ２７、アンテナ２８を備えて構成されている。制御部２４はマイクロプロセッサからなる制御回路であり、図示していないＲＯＭ、ＲＡＭを備えている。ＲＯＭには各部動作を制御するプログラムを記憶しており、制御部２４が通話時間の計時、通話料金の算出を行えるプログラムなども書き込まれている。ＲＡＭには制御部２４の動作に必要な情報を記憶する。
【００２２】
電話回線制御部２１は公衆回線Ｎからの着信、公衆回線Ｎへの発信を制御するものであり、着信検出、ダイアルトーン検出などを行う。音声信号処理部２２は受話音声信号を処理してマイク・スピーカ部２５を介して出力し、あるいは、マイク・スピーカ部２５を介して入力された送話音声を処理して音声信号に変換して送出する。無線部２３はアンテナ２８を介して子機３０との間で発信信号、着信信号、送話音声信号、受信音声信号を通信する。
【００２３】
操作・表示部２６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示してコードレス電話機１０の種々の機能設定をしたり、通信キャリアが提供する種々のサービス機能のオン・オフの設定をしたりすることができる。例えば、ナンバーディスプレイサービスやキャッチホンディスプレイサービス、ネームディスプレイサービスなどのオン・オフの設定ができる。
【００２４】
操作・表示部２６には図示していないが、利用者が着信した電話を迷惑電話と判断したい場合に撃退音などの対策音を出力させるための操作を行う「対策選択キー」が設けられている。また、制御部２４には対策選択キーが操作された場合、あるいは後述する判別により親機２０が着信を迷惑電話と判別したことを検出する対策選択検出部２４１が設けられている。更に、メモリ２７には、迷惑電話対策処理部２７１が設けられ、着信回線の接続継続を制御するための回線接続継続処理部２７２、迷惑電話に対する対策音（撃退音）出力制御部２７３、回線接続切断処理部２７４が設けられている。これらの機能は実質的にはプログラム制御により後述の動作手順のように行われる。
【００２５】
子機３０は、図３のブロック図に示されるように、音声信号処理部３２、無線部３３、制御部３４、マイク・スピーカ部３５、操作・表示部３６、メモリ３７、アンテナ３８を備えて構成されている。制御部３４はマイクロプロセッサからなる制御回路であり、図示していないＲＯＭ、ＲＡＭを備えている。ＲＯＭには各部動作を制御するプログラムを記憶しており、制御部３４が親機２０と通信するためのプログラムなども書き込まれている。ＲＡＭには制御部３４の動作に必要な情報を記憶する。
【００２６】
着信が迷惑電話であるか否かの判別は、次のいくつかの方法を単独でまたは組み合わせて行うことができる。第１は、利用者が着信電話を迷惑電話と判断して対策選択キーを操作した場合である。第２は、同じ発信元から所定回数以上連続した着信があった場合である。前記第２の判別を行うために、メモリ２７に図４に示す着信履歴を記憶しておく。
【００２７】
すなわち、図４のように着信履歴は、着信ごとに相手方の電話番号、着信時刻、音声録音の有無、着信回数を記憶するように構成される。記憶の順序は着信順に記憶部のアドレスを進め、古い着信から新しい着信の順である。従って、連続したアドレスに同じ電話番号の電話から着信があれば、その電話番号からの着信回数をカウントすれば連続した着信であると判別することができる。
【００２８】
別の着信履歴の記憶方法によれば、着信した相手方の電話番号ごとに着信時刻、音声録音有無、着信回数を記憶するように構成し、着信回数をカウントするにあたり、着信時刻が連続していれば所定回数に達するまでカウントし、着信時刻が連続していなければカウント値をクリアするようにすることもできる。これにより着信回数を参照すれば連続した着信であると判別することができる。
【００２９】
次に図５、図６に示すフローチャートに基づいて親機２０における迷惑電話に対する対策音出力制御の手順について説明する。ステップＳ１１の処理において着信があると、ステップＳ１２の処理において発呼側の電話番号を取得する。発呼側電話番号を取得すると、対策選択検出部２４１は、ステップＳ１３の処理において図４の着信履歴を参照して以前に着信した発呼側電話番号と同一かを判定する。
【００３０】
同一の場合、ステップＳ１４の処理において着信回数（連続）が所定回数（例えば３回）を超過したかを判定する。着信回数（連続）が所定回数を超えていなければ通常の着信と判断し、ステップＳ１９の処理に進みタイマＡ（第１タイマ）の計数をスタートしてステップ２０において着信音を鳴動させる。所定回数を超過した場合は、対策選択検出部２４１は迷惑電話と判定し、ステップＳ１５以降の処理に入り対策音出力の処理を行う。
【００３１】
すなわち、ステップＳ１５の処理において回線接続切断処理部２７４は回線を接続し、対策音出力制御部２７３はステップＳ１６の処理において対策音を出力し、ステップＳ１７の処理において通話の録音を行う（録音機能をオンしていない場合はこの処理はスキップされる）。そしてステップＳ１８の処理において相手側が回線を切断したか否かが検出され、回線切断でなければステップＳ１６の処理に戻り、対策音の出力が継続される。回線切断が検出されたならばステップＳ１１の処理に戻り着信待ちの状態に復帰する。
【００３２】
一方、ステップＳ２０の処理において着信音を鳴動させた後、利用者が受信のためステップＳ２１の処理において親機２０の受話器をオフフックすると、ステップＳ２８の処理でタイマＡの計数をクリアし、ステップＳ２９の処理において着信音の鳴動を停止し、ステップＳ３０の処理において発信側との回線を接続し、ステップＳ３１の処理において相手側が回線切断したかの監視を行う。相手側が回線切断したことが検出されるとステップＳ１１の処理に戻り着信待ちの状態に復帰する。
【００３３】
相手側が回線切断していなければステップＳ３２の処理において対策選択検出部２４１は、利用者が着信した電話を迷惑電話と判断したい場合に撃退音などの対策音を出力させるための操作を行う操作・表示部２６の「対策選択キー」が操作され、対策選択を行ったか否かが検出される。対策選択キーが操作されていなければステップＳ３１に戻り、相手側の回線切断の監視を継続する。この間、親機２０においては相手側との通話動作が行われることはいうまでもない。
【００３４】
対策選択キーが操作されると、対策選択検出部２４１は迷惑電話と判定し、ステップＳ３３以降の処理に入り対策音出力の処理を行う。すなわち、対策音出力制御部２７３はステップＳ３３の処理において対策音を出力し、ステップＳ３４の処理において発信側の電話番号を記録、録音、着信回数のカウントを行う。そしてステップＳ３５の処理において受話器がオンフック（通話終了）されたか否かが判別される。オンフックされていなければステップＳ３３の処理に戻り、対策音の出力が継続される。
【００３５】
ステップＳ３５の判別処理において、オンフックが検出されると、図６のフローチャートのステップＳ４０の処理に進み、所定の時間、対策音の出力を継続する本発明の処理が行われる。すなわち、利用者が受話器をおいて（オンフック）して相手方との通話終了操作を行っても回線を切断せず、対策音の出力を継続することによって、迷惑電話抑制の効果を向上させる。
【００３６】
このため、ステップＳ４０の処理において回線切断の設定有無を判定する。尚、この回線切断の設定有無は、予めユーザの操作により設定されるものであり、図５のＳ３５ステップでオンフックとなると、回線を切断するか、又は回線を接続したままで撃退音を送出するかを、ユーザが設定可能である。
ステップＳ４０で、回線切断までの時間設定がなされていない場合はステップＳ４４の処理に進み回線接続切断処理部２７４が直ちに回線を切断する。一方、回線切断までの時間設定がなされていれば、ステップＳ４１の処理において回線接続継続処理部２７２は回線接続を継続する処理を行うと共に、制御部２４が所定時間（例えば、１分）の計時を開始する。ステップＳ４２の処理において、対策音出力制御部２７３が対策音の出力を継続する。
【００３７】
ステップＳ４３の処理において、前記ステップＳ４１の処理で計時開始した、回線切断の設定時間（所定の回線接続継続時間）を経過したか、或いは発呼側が回線を切断する処理を行なったか否かを判別し、回線切断の設定時間を経過していなければステップＳ４２の処理に戻り、対策音出力を継続し、回線切断の設定時間を経過したらステップＳ４４の処理において回線を切断し、ステップＳ１１（図５参照）の処理に戻り着信待ちの状態に復帰する。
【００３８】
なお、一方、ステップＳ２０の処理において着信音を鳴動させた後、ステップＳ２１の処理において親機２０の受話器をオフフックされないと、タイマＡの計数が所定時間を計数すると、留守番電話録音の処理に入る。すなわち、ステップＳ２２の処理において、タイマＡの計数時間が判定され、所定時間が計数されていなければステップＳ２０の処理に戻り、着信音の鳴動が継続される。
【００３９】
タイマＡの計数が所定時間を経過すると、ステップＳ２３の処理において着信音の鳴動が停止され、ステップＳ２４の処理において相手方との回線を接続し、録音を開始する。録音開始にあたって、ステップＳ２６の処理において留守番電話録音のメッセージを送出する。ステップＳ２７の処理において通話（録音）を終了し相手方が回線を切断すればぞ処理を終了し、ステップＳ１１の処理に戻り着信待ちの状態に復帰する。
【００４０】
なお、上記の実施例において、オンフック検出後ステップＳ３６の処理において一定期間経過するまで対策音出力を継続する設定の有無を判別する構成を説明したが、この設定は、利用者が任意に設定する、しないを選択できるように構成し、また、この設定は通話前に予め行ってもよく、あるいは、ステップＳ２０の処理からステップＳ２５の処理（オンフック）までの間に、操作・表示部２６から設定するように構成することもできる。
【００４１】
このように利用者が任意に設定する、しないを選択でき、また、通信の途中で設定可能とすることにより、対策音出力で相手側を威嚇、抑制するとともに、迷惑電話と判別したら直ぐに警察などに電話通報したい場合に利用者が設定操作した上でオンフックでき、迷惑電話抑制の効果を更に高めることができる。
【００４２】
以上、詳細に説明したように本発明によれば、迷惑電話、悪戯電話を受信した側が撃退音を出力した場合に、オフフック後も一定時間の間、対策音（撃退音）出力を継続するものであるから、迷惑電話発信者に向けて有効に対策音出力を機能させることができるようになる。
【図面の簡単な説明】
【００４３】
【図１】本発明にかかるコードレス電話機の外観を示す図である。
【図２】本発明の実施例にかかる親機の構成を示すブロック図、
【図３】本発明の実施例にかかる子機の構成を示すブロック図である。
【図４】子機のメモリに記憶される着信履歴のデータを説明するための説明図である。
【図５】本発明の実施例にかかるコードレス電話機の動作手順を示すフローチャートである。
【図６】本発明の実施例にかかるコードレス電話機の動作手順を示すフローチャートである。
【図７】従来のコードレス電話機における迷惑電話着信時の動作手順を示すフローチャートである。
【符号の説明】
【００４４】
１０・・・・コードレス電話機置
２０・・・・親機
２１・・・・電話回線制御部
２２・・・・音声信号処理部
２３・・・・無線部
２４・・・・制御部
２４１・・・対策選択検出部
２５・・・・マイク・スピーカ部
２６・・・・操作・表示部
２７・・・・メモリ
２７１・・・迷惑電話対策処理部
２７２・・・回線接続継続処理部
２７３・・・対策音出力制御部
２７４・・・回線接続切断処理部
２８・・・・アンテナ
Ｎ・・・・・公衆電話回線
３０・・・・子機
３２・・・・音声信号処理部
３３・・・・無線部
３４・・・・制御部
３５・・・・マイク・スピーカ部
３６・・・・操作・表示部
３７・・・・メモリ
３８・・・・アンテナ
【図１】
0004688607.tif 000002
【図２】
0004688607.tif 000003
【図３】
0004688607.tif 000004
【図４】
0004688607.tif 000005
【図５】
0004688607.tif 000006
【図６】
0004688607.tif 000007
【図７】
0004688607.tif 000008